Podtech/llm-jp-corpus-v4-ja_patent huggingface dataset:
【手続補正書】
【提出日】令和3年11月9日(2021.11.9)
【手続補正１】
【補正対象書類名】特許請求の範囲
【補正対象項目名】全文
【補正方法】変更
【補正の内容】
【特許請求の範囲】
【請求項１】
放射線による動画撮影において、放射線画像撮影装置から呼吸を解析するための複数の放射線画像を取得する取得手段と、
前記複数の放射線画像を出力する出力手段と、
前記動画撮影中に生じた異常の有無を判定する判定手段と、
前記判定手段が異常ありと判定した場合、所定の異常時動作を行う異常時動作手段と、を備えることを特徴とする撮影制御装置。
【請求項２】
前記出力手段は、前記複数の放射線画像を含む動画を出力することを特徴とする請求項１に記載の撮影制御装置。
【請求項３】
前記出力手段は、前記動画を送信する送信手段を含み、
前記送信手段は、前記動画に基づき呼吸を解析する解析診断ワークステーションへ前記動画を送信すること、を特徴とする請求項２に記載の撮影制御装置。
【請求項４】
前記出力手段は、前記動画を表示する表示手段を含むこと、を特徴とする請求項２又は３に記載の撮影制御装置。
【請求項５】
前記判定手段が異常ありと判定した場合、前記異常時動作手段は、放射線を照射する放射線発生装置が放射線を照射するための制御を停止させ、且つ、前記出力手段は、前記異常ありと判定される迄に取得した複数の放射線画像を含む動画を出力すること、を特徴とする請求項２〜４のいずれか一項に記載の撮影制御装置。
【請求項６】
前記判定手段は、前記放射線画像に基づいて放射線未照射又は線量不足の有無を判定することを特徴とする請求項１〜５のいずれか一項に記載の撮影制御装置。
【請求項７】
前記判定手段は、前記放射線画像における所定画素の画素値に基づいて放射線未照射又は線量不足の有無を判定することを特徴とする請求項６に記載の撮影制御装置。
【請求項８】
前記判定手段は、前記放射線画像に基づいて被写体の体動の有無を判定することを特徴とする請求項１〜５のいずれか一項に記載の撮影制御装置。
【請求項９】
前記異常時動作手段は、前記判定手段が異常ありと判定した場合、当該異常ありと判定されたタイミングで生成された前記放射線画像を削除することを特徴とする請求項１〜４のいずれか一項に記載の撮影制御装置。
【請求項１０】
前記異常時動作手段は、前記判定手段が異常ありと判定した場合、当該異常ありと判定されたタイミングで生成された前記放射線画像を前記出力手段に出力させないことを特徴とする請求項２〜４のいずれか一項に記載の撮影制御装置。
【請求項１１】
前記取得手段が取得した前記放射線画像を解析する解析手段を備え、
前記異常時動作手段は、前記判定手段が異常ありと判定した場合、当該異常ありと判定されたタイミングで生成された前記放射線画像の前記解析手段による解析を行わないことを特徴とする請求項１〜１０のいずれか一項に記載の撮影制御装置。
【請求項１２】
撮影予定枚数又は撮影予定期間を放射線発生装置に設定することが可能な設定手段と、
ユーザーが前記放射線発生装置に行っている放射線の照射指示の有無を監視することが可能な監視手段と、を備え、
前記判定手段は、照射指示無しとなったタイミングが、これまでに撮影された前記放射線画像の枚数が前記撮影予定枚数に達する前であるか否か、又は撮影が開始されてからの時間が前記撮影予定期間に達する前であるか否かに基づいてユーザーによる撮影指示の中断の有無を判定することを特徴とする請求項１〜５のいずれか一項に記載の撮影制御装置。
【請求項１３】
前記異常時動作手段は、前記判定手段が異常ありと判定した場合、前記取得手段が最後に取得した前記放射線画像を削除することを特徴とする請求項１２に記載の撮影制御装置。
【請求項１４】
放射線による動画撮影において、受けた放射線の線量に応じた電荷を生成する放射線検出素子を備えた放射線検出手段と、
前記放射線検出素子に蓄積された電荷を読み出し、呼吸を解析するための複数の放射線画像を生成する撮影手段と、
前記動画撮影中に生じた異常の有無を判定する判定手段と、
前記判定手段が異常ありと判定した場合、所定の異常時動作を行う異常時動作手段と、を備えることを特徴とする放射線画像撮影装置。
【請求項１５】
前記異常時動作手段は、前記判定手段が異常ありと判定した場合、当該異常ありと判定されたタイミングで蓄積された電荷に基づく前記放射線画像を削除することを特徴とする請求項１４に記載の放射線画像撮影装置。
【請求項１６】
前記異常時動作手段は、前記判定手段が異常ありと判定した場合、当該異常ありと判定されたタイミングで蓄積された電荷に基づく前記放射線画像を生成させないことを特徴とする請求項１４に記載の放射線画像撮影装置。
【請求項１７】
放射線画像を生成する放射線画像撮影装置と、
請求項１〜１３のいずれか一項に記載の撮影制御装置と、を備えることを特徴とする放射線画像撮影システム。
【請求項１８】
コンピューターに、
放射線による動画撮影において、放射線画像撮影装置から呼吸を解析するための複数の放射線画像を取得する取得処理と、
前記複数の放射線画像を出力する出力処理と、
前記動画撮影中に生じた異常の有無を判定する判定処理と、
前記判定処理で異常ありと判定した場合、所定の異常時動作を行う異常時動作処理と、
を実行させることを特徴とする撮影制御プログラム 。
【手続補正２】
【補正対象書類名】明細書
【補正対象項目名】発明の名称
【補正方法】変更
【補正の内容】
【発明の名称】撮影制御装置、放射線画像撮影装置、放射線画像撮影システム及びプログラム
【手続補正３】
【補正対象書類名】明細書
【補正対象項目名】０００１
【補正方法】変更
【補正の内容】
【０００１】
本発明は、撮影制御装置、放射線画像撮影装置、放射線画像撮影システム及びプログラムに関する。
【手続補正４】
【補正対象書類名】明細書
【補正対象項目名】０００８
【補正方法】変更
【補正の内容】
【０００８】
上記課題を解決するため、本発明の撮影制御装置は、
放射線による動画撮影において、放射線画像撮影装置から呼吸を解析するための複数の放射線画像を取得する取得手段と、
前記複数の放射線画像を出力する出力手段と、
前記動画撮影中に生じた異常の有無を判定する判定手段と、
前記判定手段が異常ありと判定した場合、所定の異常時動作を行う異常時動作手段と、を備えることを特徴とする。
【手続補正５】
【補正対象書類名】明細書
【補正対象項目名】０００９
【補正方法】変更
【補正の内容】
【０００９】
また、本発明の放射線画像撮影装置は、
放射線による動画撮影において、受けた放射線の線量に応じた電荷を生成する放射線検出素子を備えた放射線検出手段と、
前記放射線検出素子に蓄積された電荷を読み出し、呼吸を解析するための複数の放射線画像を生成する撮影手段と、
前記動画撮影中に生じた異常の有無を判定する判定手段と、
前記判定手段が異常ありと判定した場合、所定の異常時動作を行う異常時動作手段と、を備えることを特徴とする。
【手続補正書】
【提出日】令和3年8月19日(2021.8.19)
【手続補正１】
【補正対象書類名】明細書
【補正対象項目名】００１９
【補正方法】変更
【補正の内容】
【００１９】
本発明による無指向性アンテナを駆動するための有限角ジンバルの制御方法は、無指向性アンテナを駆動するためのジンバルの角度及び角速度を検出するためのセンサと、前記ジンバルを回転駆動するための有限角アクチュエータと、前記センサ及び有限角アクチュエータに接続され、前記センサの出力に基づいて前記アクチュエータによる前記ジンバルの回転駆動を制御する制御手段と、を用い、前記ジンバルには、操作許容範囲が予め設定されており、前記制御手段は、前記センサの出力に基づいて検出される前記ジンバルの検出角が前記操作許容範囲を超えた場合に、前記ジンバルの速度の反発区間に適用するｓｉｎカーブに対して、反発速度調整定数εを０≦ε≦１の範囲で少なくとも三段階設定して速度制御する方法である。
【手続補正２】
【補正対象書類名】明細書
【補正対象項目名】００２０
【補正方法】変更
【補正の内容】
【００２０】
本発明による無指向性アンテナを駆動するための有限角ジンバルの制御方法は、以上のように構成されているため、次のような効果を得ることができる。
すなわち、無指向性アンテナを駆動するためのジンバルの角度及び角速度を検出するためのセンサと、前記ジンバルを回転駆動するための有限角アクチュエータと、前記センサ及び有限角アクチュエータに接続され、前記センサの出力に基づいて前記アクチュエータによる前記ジンバルの回転駆動を制御する制御手段と、を用い、前記ジンバルには、操作許容範囲が予め設定されており、前記制御手段は、前記センサの出力に基づいて検出される前記ジンバルの検出角が前記操作許容範囲を超えた場合に、前記ジンバルの速度の反発区間に適用するｓｉｎカーブに対して、反発速度調整定数εを０≦ε≦１の範囲で少なくとも三段階設定して速度制御することにより、ジンバルのイナーシャとして、無指向性アンテナを搭載したジンバルにおいて、ジンバルが停止するための停止点周辺でも、従来のようなチャタリングを発生することなく、滑らかに停止することができる。
【手続補正３】
【補正対象書類名】明細書
【補正対象項目名】００２１
【補正方法】変更
【補正の内容】
【００２１】
【図１】本発明による無指向性アンテナを駆動するための有限角ジンバルの制御方法を示す説明図である。
【図２】従来及び本発明の制御構成を示すブロック図である。
【図３】図２の要部を示す具体的ブロック図である。
【図４】従来のジンバルの角速度指令を示す説明図である。
【図５】従来の他の制御方向を示す説明図である。
【手続補正４】
【補正対象書類名】明細書
【補正対象項目名】００２６
【補正方法】変更
【補正の内容】
【００２６】
本発明による無指向性アンテナを駆動するための有限角ジンバルは、ジンバルの操作許容範囲外の速度反発区間２０３の反発区間２０３におけるｓｉｎカーブの反発速度調整定数εを０≦ε≦１とすることにより、円滑なジンバルの動作を得ることができる。
【手続補正５】
【補正対象書類名】特許請求の範囲
【補正対象項目名】全文
【補正方法】変更
【補正の内容】
【特許請求の範囲】
【請求項１】
無指向性アンテナを駆動するためのジンバルの角度及び角速度を検出するためのセンサと、前記ジンバルを回転駆動するための有限角アクチュエータと、前記センサ及び前記有限角アクチュエータに接続され、前記センサの出力に基づいて前記アクチュエータによる前記ジンバルの回転駆動を制御する制御手段と、を備え、
前記ジンバルには、操作許容範囲が予め設定されており、前記制御手段は、前記センサの出力に基づいて検出される前記ジンバルの検出角が前記操作許容範囲を超えた場合に、前記ジンバルの速度の反発区間に適用するｓｉｎカーブに対して、反発速度調整定数εを０≦ε≦１の範囲で少なくとも三段階設定して速度制御することを特徴とする無指向性アンテナを駆動するための有限角ジンバルの制御方法。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
表示部に表示された複数の表示体から、１つの前記表示体が選択されるルーレット演出を行う遊技機であって、
遊技の進行に伴って前記表示部に表示される１度に視認可能な前記表示体の数が増加していき、
複数の前記表示体は、見た目の異なる第１表示体と第２表示体とを含む遊技機。
【手続補正２】
【補正対象書類名】明細書
【補正対象項目名】０００５
【補正方法】変更
【補正の内容】
【０００５】
上記課題を解決するためになされた請求項１の発明は、表示部に表示された複数の表示体から、１つの前記表示体が選択されるルーレット演出を行う遊技機であって、遊技の進行に伴って前記表示部に表示される１度に視認可能な前記表示体の数が増加していき、複数の前記表示体は、見た目の異なる第１表示体と第２表示体とを含む遊技機である。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
表示部に、複数種類の図柄を変動表示及び停止表示する図柄表示領域が複数備えられて、停止表示されたときの前記図柄の組合せにより当否判定結果を報知する図柄変動演出を備えた遊技機であって、
前記図柄表示領域の全てが変動表示しているときに各前記図柄表示領域に表示される前記図柄には、停止表示する可能性のある第１図柄と、停止表示する可能性のない第２図柄と、が備えられ、
遊技の進行に応じて前記第１図柄は、前記第２図柄に変化可能である遊技機。
【手続補正２】
【補正対象書類名】明細書
【補正対象項目名】０００５
【補正方法】変更
【補正の内容】
【０００５】
上記課題を解決するためになされた請求項１の発明は、表示部に、複数種類の図柄を変動表示及び停止表示する図柄表示領域が複数備えられて、停止表示されたときの前記図柄の組合せにより当否判定結果を報知する図柄変動演出を備えた遊技機であって、前記図柄表示領域の全てが変動表示しているときに各前記図柄表示領域に表示される前記図柄には、停止表示する可能性のある第１図柄と、停止表示する可能性のない第２図柄と、が備えられ、遊技の進行に応じて前記第１図柄は、前記第２図柄に変化可能である遊技機である。
【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
カードユニットから入力される遊技価値を持コイン数として記憶する枠制御基板と、遊技の進行を制御する主制御基板と、を備え、前記枠制御基板と前記主制御基板とを双方向通信可能に接続し、前記主制御基板に始動レバー（スイッチ）、回胴停止ボタン（スイッチ）及びベットスイッチとを接続し、前記枠制御基板に精算スイッチ（計数スイッチ）を接続した封入式回胴遊技機であって、
前記主制御基板には、
前記ベットスイッチが操作されるとベット数を示す信号を前記枠制御基板に送信するベット数送信手段と、
前記ベットスイッチが操作されると前記始動レバーの操作を有効とし、前記始動レバーの操作に起因して抽選を行う抽選手段と、
該抽選手段による抽選結果を前記枠制御基板に送信する抽選結果送信手段と、
前記枠制御基板には、
前記主制御基板から受信する前記ベットスイッチの操作に応じたベット数を前記持コイン数から減算し、前記主制御基板から受信する前記抽選結果に入賞が有るときの入賞に応じたコイン数を前記持コイン数に加算する持コイン数加減算手段と、
前記精算スイッチが操作されると前記持コイン数を前記カードユニットに移動させ、移動させることにより前記持コイン数が零になれば前記主制御基板に遊技終了を示す信号を送信する遊技終了手段と、
を備えたことを特徴とする封入式回胴遊技機。
【請求項２】
請求項１に記載の封入式回胴遊技機において、
前記主制御基板は、前記ベット数送信手段により前記ベット数を示す信号を送信した後から前記始動レバーが操作されるまでの間は、前記枠制御基板が前記ベット数を受信したことを示す信号のみを受信可能とした、
ことを特徴とする封入式回胴遊技機。
【請求項３】
請求項１又は請求項２に記載の封入式回胴遊技機において、
前記主制御基板は、前記抽選結果送信手段により前記抽選結果を送信した後から前記ベットスイッチが再び操作されるまでの間、又は前記遊技終了を示す信号を受信するまでの間は、前記枠制御基板が前記抽選結果を受信したことを示す信号のみを受信可能とした、
ことを特徴とする封入式回胴遊技機。
【請求項４】
請求項１乃至請求項３に記載の封入式回胴遊技機において、
前記主制御基板は、前記枠制御基板が前記ベット数を受信したことを示す信号を受信した後から前記始動レバーを操作したことに起因する遊技の結果が得られるまでの間は、前記枠制御基板からの送信を受け付けない、
ことを特徴とする封入式回胴遊技機。  
【手続補正２】
【補正対象書類名】明細書
【補正対象項目名】０００８
【補正方法】変更
【補正の内容】
【０００８】
前記課題に鑑みてなされた請求項１に記載の封入式回胴遊技機は、
カードユニットから入力される遊技価値を持コイン数として記憶する枠制御基板と、遊技の進行を制御する主制御基板と、を備え、前記枠制御基板と前記主制御基板とを双方向通信可能に接続し、前記主制御基板に始動レバー（スイッチ）、回胴停止ボタン（スイッチ）及びベットスイッチとを接続し、前記枠制御基板に精算スイッチ（計数スイッチ）を接続した封入式回胴遊技機であって、
前記主制御基板には、
前記ベットスイッチが操作されるとベット数を示す信号を前記枠制御基板に送信するベット数送信手段と、
前記ベットスイッチが操作されると前記始動レバーの操作を有効とし、前記始動レバーの操作に起因して抽選を行う抽選手段と、
該抽選手段による抽選結果を前記枠制御基板に送信する抽選結果送信手段と、
前記枠制御基板には、
前記主制御基板から受信する前記ベットスイッチの操作に応じたベット数を前記持コイン数から減算し、前記主制御基板から受信する前記抽選結果に入賞が有るとき入賞に応じたコイン数を前記持コイン数に加算する持コイン数加減算手段と、
前記精算スイッチが操作されると前記持コイン数を前記カードユニットに移動させ、移動させることにより前記持コイン数が零になれば前記主制御基板に遊技終了を示す信号を送信する遊技終了手段と、
を備えたことを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正書】
【提出日】令和3年8月2日(2021.8.2)
【手続補正１】
【補正対象書類名】明細書
【補正対象項目名】０００２
【補正方法】変更
【補正の内容】
【０００２】
従来の遊技機において、遊技盤の下部に一般入賞口等の入賞口と他の部材を寄せ集めて一体化したユニットが配置されている遊技機が知られている（例えば、特許文献１参照）。
【手続補正２】
【補正対象書類名】明細書
【補正対象項目名】０００３
【補正方法】変更
【補正の内容】
【０００３】
【特許文献１】特開２０１８−０４３０８２号公報
【手続補正３】
【補正対象書類名】明細書
【補正対象項目名】０００４
【補正方法】変更
【補正の内容】
【０００４】
ところで、遊技者がユニットを注視することがなかった。
【手続補正４】
【補正対象書類名】明細書
【補正対象項目名】０００５
【補正方法】変更
【補正の内容】
【０００５】
本発明は、遊技者に注視させることができるユニットを備えた遊技機を提供することを目的とする。
【手続補正５】
【補正対象書類名】明細書
【補正対象項目名】０００６
【補正方法】変更
【補正の内容】
【０００６】
本発明の代表的な一形態では、装飾部を有するユニットを備え、ゲームの結果が特別結果となった場合に特別遊技状態を発生させる遊技機において、前記装飾部には、前記特別遊技状態に関連する関連情報が表示されていることを特徴とする。
【手続補正６】
【補正対象書類名】明細書
【補正対象項目名】０００７
【補正方法】変更
【補正の内容】
【０００７】
本発明の一形態によれば、遊技者にユニットを注視させることができる。
【手続補正７】
【補正対象書類名】特許請求の範囲
【補正対象項目名】全文
【補正方法】変更
【補正の内容】
【特許請求の範囲】
【請求項１】
装飾部を有するユニットを備え、ゲームの結果が特別結果となった場合に特別遊技状態を発生させる遊技機において、
前記装飾部には、
前記特別遊技状態に関連する関連情報が表示されていることを特徴とする遊技機。
【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
第１と第２の装飾部材を同時に動作させる動作演出を実行する演出実行手段を備え、
前記演出実行手段は、前記動作演出で、前記第１の装飾部材を直線的に移動させ、前記第２の装飾部材を曲線的に移動させる遊技機。
【請求項２】
前記演出実行手段は、前記動作演出で、前記第１の装飾部材を往復動作させ、前記第２の装飾部材を閉ループ経路上を回るように移動させる、請求項１に記載の遊技機。
【請求項３】
前記演出実行手段は、前記動作演出において、前記第１の装飾部材に前記往復動作を繰り返し行わせると共に、前記第２の装飾部材に前記閉ループ経路上を繰り返し回らせ、
前記第１の装飾部材の前記往復動作の周期と、前記第２の装飾部材の前記閉ループ経路上の一周の周期とが、略同じになっている、請求項２に記載の遊技機。
【請求項４】
前記第１と第２の装飾部材を含み、第１の順番で並んで全体で１つの意味をなす複数の装飾部材を備え、
前記演出実行手段は、前記第１の順番の並びを維持する範囲で前記複数の装飾部材の相対位置が変化するように、前記複数の装飾部材のうち少なくとも１つの装飾部材を動作させる、請求項１から３の何れか１の請求項に記載の遊技機。
【請求項５】
前記第１と第２の装飾部材を支持するベース部材を備え、
前記第２の装飾部材は、１対設けられ、それら第２の装飾部材が、前記第１の装飾部材に対して略対称に動作する、請求項１から４の何れか１の請求項に記載の遊技機。
【手続補正２】
【補正対象書類名】明細書
【補正対象項目名】０００５
【補正方法】変更
【補正の内容】
【０００５】
上記目的を達成するためになされた請求項１の発明に係る遊技機は、第１と第２の装飾部材を同時に動作させる動作演出を実行する演出実行手段を備え、前記演出実行手段は、前記動作演出で、前記第１の装飾部材を直線的に移動させ、前記第２の装飾部材を曲線的に移動させる遊技機である。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
表示部に遊技の進行に応じてランダムに発生し得る当否判定演出が表示される遊技機であって、
前記当否判定演出は、通常判定演出と、前記通常判定演出よりも有利な状態であることを示唆する特殊判定演出と、前記通常判定演出から前記特殊判定演出に移行する可能性があることを示唆する移行予告演出と、を備え、
前記移行予告演出の後に、前記特殊判定演出に移行しない場合は、前記移行予告演出が逆向きに進行されてから前記通常判定演出に戻る遊技機。
【手続補正２】
【補正対象書類名】明細書
【補正対象項目名】０００５
【補正方法】変更
【補正の内容】
【０００５】
上記課題を解決するためになされた請求項１の発明は、表示部に遊技の進行に応じてランダムに発生し得る当否判定演出が表示される遊技機であって、前記当否判定演出は、通常判定演出と、前記通常判定演出よりも有利な状態であることを示唆する特殊判定演出と、前記通常判定演出から前記特殊判定演出に移行する可能性があることを示唆する移行予告演出と、を備え、前記移行予告演出の後に、前記特殊判定演出に移行しない場合は、前記移行予告演出が逆向きに進行されてから前記通常判定演出に戻る遊技機である。
【手続補正書】
【提出日】令和3年9月6日(2021.9.6)
【手続補正１】
【補正対象書類名】明細書
【補正対象項目名】０００１
【補正方法】変更
【補正の内容】
【０００１】
本発明は、複数の識別情報を変動表示するゲームを実行し、当該ゲームの結果が特別結果となった場合に遊技者に有利な特別遊技状態を発生可能な遊技機に関する。
【手続補正２】
【補正対象書類名】明細書
【補正対象項目名】０００２
【補正方法】変更
【補正の内容】
【０００２】
始動入賞口への遊技球の入賞に基づき、特図識別情報を変動表示する特図変動表示ゲームを実行可能な変動表示装置と、前記特図変動表示ゲームに対応して複数の飾り識別情報を変動表示する飾り変動表示ゲームを実行可能な飾り変動表示装置と、遊技を統括的に制御するとともに前記特図変動表示ゲームの制御を行う遊技制御装置と、前記遊技制御装置からの制御信号に基づき、前記飾り変動表示ゲームの制御を行う演出制御装置と、を備え、前記特図変動表示ゲームの停止結果態様が予め定めた特別結果態様となった場合に、遊技者に遊技価値を付与可能な遊技機において、前記特図変動表示ゲームの変動パターンとして、複数種類のリーチ変動に対応した変動パターンを選択する変動パターン選択手段を備える遊技機が知られている（例えば特許文献１参照）。すなわち、複数種類のリーチ演出を実行可能な遊技機が知られている。
【手続補正３】
【補正対象書類名】明細書
【補正対象項目名】０００３
【補正方法】変更
【補正の内容】
【０００３】
【特許文献１】特開２０１４−１３８８２７号公報
【手続補正４】
【補正対象書類名】明細書
【補正対象項目名】０００４
【補正方法】変更
【補正の内容】
【０００４】
ところで、リーチ演出の興趣を十分に高めることができなかった。
本発明の目的は、リーチ演出の興趣を高めることである。
【手続補正５】
【補正対象書類名】明細書
【補正対象項目名】０００５
【補正方法】変更
【補正の内容】
【０００５】
以上の課題を解決するため、請求項１に記載の発明は、
複数の識別情報を変動表示するゲームを実行し、当該ゲームの結果が特別結果となった場合に遊技者に有利な特別遊技状態を発生可能な遊技機において、
前記ゲームの変動パターンを選択する変動パターン選択手段と、
前記変動パターン選択手段によって選択された変動パターンに対応した変動演出を実行する変動演出手段と、を備え、
前記変動演出手段は、第１リーチ演出と、第２リーチ演出と、第３リーチ演出と、を実行可能であり、
前記変動パターン選択手段は、
前記第１リーチ演出の実行後に前記第２リーチ演出を実行し、当該第２リーチ演出の実行後に前記第３リーチ演出を実行する第１パターンと、
前記第１リーチ演出の実行後、前記第２リーチ演出を実行せずに前記第３リーチ演出を実行する第２パターンと、を選択可能であり、
前記ゲームの結果が特別結果となる期待度は、前記第１パターンと、前記第２パターンと、では異なることを特徴とする。
【手続補正６】
【補正対象書類名】明細書
【補正対象項目名】０００６
【補正方法】変更
【補正の内容】
【０００６】
本発明によれば、リーチ演出の興趣を高めることができる。
【手続補正７】
【補正対象書類名】特許請求の範囲
【補正対象項目名】全文
【補正方法】変更
【補正の内容】
【特許請求の範囲】
【請求項１】
複数の識別情報を変動表示するゲームを実行し、当該ゲームの結果が特別結果となった場合に遊技者に有利な特別遊技状態を発生可能な遊技機において、
前記ゲームの変動パターンを選択する変動パターン選択手段と、
前記変動パターン選択手段によって選択された変動パターンに対応した変動演出を実行する変動演出手段と、を備え、
前記変動演出手段は、第１リーチ演出と、第２リーチ演出と、第３リーチ演出と、を実行可能であり、
前記変動パターン選択手段は、
前記第１リーチ演出の実行後に前記第２リーチ演出を実行し、当該第２リーチ演出の実行後に前記第３リーチ演出を実行する第１パターンと、
前記第１リーチ演出の実行後、前記第２リーチ演出を実行せずに前記第３リーチ演出を実行する第２パターンと、を選択可能であり、
前記ゲームの結果が特別結果となる期待度は、前記第１パターンと、前記第２パターンと、では異なることを特徴とする遊技機。
【手続補正書】
【提出日】令和3年9月22日(2021.9.22)
【手続補正１】
【補正対象書類名】特許請求の範囲
【補正対象項目名】全文
【補正方法】変更
【補正の内容】
【特許請求の範囲】
【請求項１】
並んで１つの意味をなす複数の装飾部材を有し、それら複数の装飾部材が並び順を変えずに互いの位置が相対的に変化するように平行移動する遊技機であって、
前記複数の装飾部材には、対称的に動作する１対の特別装飾部材が含まれている遊技機。
【手続補正２】
【補正対象書類名】明細書
【補正対象項目名】０００５
【補正方法】変更
【補正の内容】
【０００５】
上記目的を達成するためになされた請求項１の発明に係る遊技機は、並んで１つの意味をなす複数の装飾部材を有し、それら複数の装飾部材が並び順を変えずに互いの位置が相対的に変化するように平行移動する遊技機であって、前記複数の装飾部材には、対称的に動作する１対の特別装飾部材が含まれている遊技機である。
【手続補正書】
【提出日】令和3年7月21日(2021.7.21)
【手続補正１】
【補正対象書類名】特許請求の範囲
【補正対象項目名】全文
【補正方法】変更
【補正の内容】
【特許請求の範囲】
【請求項１】
抽出対象から飲料液を抽出する抽出方法であって、
前記抽出対象と液体が収容された抽出容器内の気圧を大気に解放する大気解放により、前記抽出容器内を、大気圧を超える気圧である第一の気圧から前記大気圧へ減圧する減圧工程と、
前記抽出対象から飲料液を抽出する抽出工程と、を有し、
前記第一の気圧は前記液体が沸騰しない気圧であり、前記第一の気圧で沸騰しなかった前記液体は、前記減圧工程で減圧された前記大気圧で沸騰し、
前記減圧工程では、前記第一の気圧から、前記第一の気圧より低く且つ前記大気圧より高い第二の気圧で所定時間保持され、前記第二の気圧から前記大気圧へ減圧される、
ことを特徴とする抽出方法。
【請求項２】
前記大気解放は、前記抽出容器内の気圧を大気に解放する電磁弁の開放によって行われることを特徴とする請求項１に記載の抽出方法。
【請求項３】
前記大気解放は、前記抽出容器の容積を変化させずに行われることを特徴とする請求項１又は２に記載の抽出方法。
【請求項４】
前記大気解放の直後において、前記抽出容器の前記液体の温度は、前記大気圧における該液体の沸点よりも高いことを特徴とする請求項１乃至３のいずれか１項に記載の抽出方法。
【請求項５】
前記減圧工程よりも前に、前記抽出対象が収容されている前記抽出容器に液体を注入する注入工程を有し、
前記注入工程における液体の温度は、前記大気圧における該液体の沸点よりも高い温度である、
ことを特徴とする請求項１乃至４のいずれか１項に記載の抽出方法。
【請求項６】
抽出対象から飲料液を抽出する抽出装置であって、
抽出容器と、
前記抽出容器に、液体および空気圧を供給する供給手段と、
前記供給手段を制御する制御手段と、を備え、
前記制御手段は、
前記抽出対象と前記液体が収容された前記抽出容器内の気圧を前記抽出装置の周囲雰囲気に解放することにより、前記抽出容器内を、第一の気圧から前記第一の気圧よりも低い第二の気圧へ減圧する減圧制御を実行し、
前記第一の気圧は所定の温度の前記液体が沸騰しない気圧であり、前記第二の気圧は前記第一の気圧で沸騰しなかった前記液体が沸騰する気圧であり、
前記減圧制御において、前記第一の気圧より低く前記第二の気圧よりも高い第三の気圧で所定時間保持され、前記第三の気圧から前記第二の気圧へ減圧される、
ことを特徴とする抽出装置。
【手続補正書】
【提出日】令和3年3月17日(2021.3.17)
【手続補正１】
【補正対象書類名】特許請求の範囲
【補正対象項目名】全文
【補正方法】変更
【補正の内容】
【特許請求の範囲】
【請求項１】
水素を利用するコミュニティシステムであって、
水素供給源と、
前記水素供給源から供給された水素を貯蔵する水素貯蔵装置と、
前記水素供給源と前記水素貯蔵装置のうちの少なくとも一方から供給される水素を利用して発電を行う燃料電池を含むＦＣ発電設備と、
前記ＦＣ発電設備から供給される電力と、前記水素供給源と前記水素貯蔵装置のうちの少なくとも一方から供給される水素と、を利用する複数の住宅を含む住宅群と、
を備え、
前記ＦＣ発電設備は、複数の既設の前記住宅群のいずれにも面する位置、又は、前記複数の既設の前記住宅群と新たな住宅群の建設予定地のいずれにも面する位置に設置される、コミュニティシステム。
【請求項２】
請求項１に記載のコミュニティシステムであって、
前記ＦＣ発電設備は、複数の既設の前記住宅群のほぼ中央、又は、前記複数の既設の前記住宅群と新たな住宅群の建設予定地のほぼ中央に設置される、コミュニティシステム。
【請求項３】
請求項１又は２に記載のコミュニティシステムであって、
前記複数の住宅のうちの少なくとも一部の住宅は、水素利用設備を備える、コミュニティシステム。
【請求項４】
請求項１〜３のいずれか一項に記載のコミュニティシステムであって、
前記複数の住宅群は、水素を流通させるパイプラインで互いに接続されている、コミュニティシステム。
【請求項５】
水素供給源と、前記水素供給源から供給された水素を貯蔵する水素貯蔵装置と、前記水素供給源と前記水素貯蔵装置のうちの少なくとも一方から供給される水素を利用して発電を行う燃料電池を含むＦＣ発電設備と、前記ＦＣ発電設備から供給される電力と、前記水素供給源と前記水素貯蔵装置のうちの少なくとも一方から供給される水素と、を利用する複数の住宅を含む住宅群と、を備えるコミュニティシステムの建設方法であって、
前記ＦＣ発電設備を、複数の既設の前記住宅群のいずれにも面する位置、又は、前記複数の既設の前記住宅群と新たな住宅群の建設予定地のいずれにも面する位置に設置する、コミュニティシステムの建設方法。
【請求項６】
請求項５に記載のコミュニティシステムの建設方法であって、
前記ＦＣ発電設備を、複数の既設の前記住宅群のほぼ中央、又は、前記複数の既設の前記住宅群と新たな住宅群の建設予定地のほぼ中央に設置する、コミュニティシステムの建設方法。
【請求項７】
請求項５又は６に記載のコミュニティシステムの建設方法であって、
前記複数の住宅のうちの少なくとも一部の住宅は、水素利用設備を備える、コミュニティシステムの建設方法。
【請求項８】
請求項５〜７のいずれか一項に記載のコミュニティシステムの建設方法であって、
前記複数の住宅群は、水素を流通させるパイプラインで互いに接続されている、コミュニティシステムの建設方法。
【手続補正書】
【提出日】令和3年9月2日(2021.9.2)
【手続補正１】
【補正対象書類名】特許請求の範囲
【補正対象項目名】全文
【補正方法】変更
【補正の内容】
【特許請求の範囲】
【請求項１】
交流電圧を出力する第１の電源部と、
前記第１の電源部に接続され、前記第１の電源部から出力される前記交流電圧を整流し、所定の極性の直流電圧を出力する第１の整流部及び第２の整流部と、
前記所定の極性とは逆極性の直流電圧を出力する第２の電源部及び第３の電源部と、
前記第１の整流部の出力電圧と前記第２の電源部の出力電圧とが重畳された電圧が供給される第１の負荷に流れる電流を検知する第１の電流検知部と、
前記第２の整流部の出力電圧と前記第３の電源部の出力電圧とが重畳された電圧が供給される第２の負荷に流れる電流を検知する第２の電流検知部と、
前記第１の電流検知部を流れる電流と、前記第２の電流検知部を流れる電流とを分離する分離部と、
を備えることを特徴とする電源装置。
【請求項２】
前記分離部は、前記第１の電源部からの交流電圧が入力される前記第１の整流部の入力端と、前記第１の電源部からの交流電圧が入力される前記第２の整流部の入力端とに直列に接続されたコンデンサであることを特徴とする請求項１に記載の電源装置。
【請求項３】
前記第１の整流部又は前記第２の整流部は、前記第１の整流部又は前記第２の整流部が出力する前記直流電圧を検知する第１の電圧検知部を有し、
前記第２の電源部は、前記第２の電源部が出力する前記直流電圧を検知する第２の電圧検知部を有し、
前記第３の電源部は、前記第３の電源部が出力する前記直流電圧を検知する第３の電圧検知部を有することを特徴とする請求項２に記載の電源装置。
【請求項４】
前記第１の電源部、前記第２の電源部、及び前記第３の電源部の出力電圧を制御する制御部を備え、
前記制御部は、前記第１の電圧検知部、前記第２の電圧検知部、及び前記第３の電圧検知部の検知結果に基づいて、前記第１の電源部、前記第２の電源部、及び前記第３の電源部の出力電圧を制御することを特徴とする請求項３に記載の電源装置。
【請求項５】
前記第２の電圧検知部、及び前記第３の電圧検知部は、正電位の電圧の検知結果を前記制御部に出力することを特徴とする請求項４に記載の電源装置。
【請求項６】
前記制御部は、前記第１の電流検知部及び前記第２の電流検知部の検知結果と、前記第１の電圧検知部、前記第２の電圧検知部、及び前記第３の電圧検知部の検知結果と、に基づいて、前記第１の負荷及び前記第２の負荷のインピーダンスを算出し、算出した前記第１の負荷及び前記第２の負荷のインピーダンスに応じて、前記第１の電源部、前記第２の電源部、及び前記第３の電源部の出力電圧を制御することを特徴とする請求項４又は請求項５に記載の電源装置。
【請求項７】
前記第２の電源部から前記逆極性の直流電圧が出力されず、前記第１の整流部から前記所定の極性の直流電圧が出力されている場合には、前記第１の負荷に所定の電圧を供給する定電圧供給部を備えることを特徴とする請求項６に記載の電源装置。
【請求項８】
前記定電圧供給部は、ダイオードとツェナーダイオードとを有することを特徴とする請求項７に記載の電源装置。
【請求項９】
前記制御部は、前記第２の電流検知部の検知結果に基づいて、前記第２の負荷に一定の電流値の電流が供給されるように、前記第１の電源部及び前記第３の電源部を制御することを特徴とする請求項８に記載の電源装置。
【請求項１０】
前記第１の電源部は圧電トランスを有することを特徴とする請求項１から請求項９のいずれか１項に記載の電源装置。
【請求項１１】
前記第１の整流部及び前記第２の整流部は、ダイオードを有することを特徴とする請求項１から請求項１０のいずれか１項に記載の電源装置。
【請求項１２】
画像を形成するための画像形成部と、
前記画像形成部に高電圧を供給する電源装置と、を備え、
前記電源装置は、
交流電圧を出力する第１の電源部と、
前記第１の電源部に接続され、前記第１の電源部から出力される前記交流電圧を整流し、所定の極性の直流電圧を出力する第１の整流部及び第２の整流部と、
前記所定の極性とは逆極性の直流電圧を出力する第２の電源部と、
前記所定の極性とは逆極性の直流電圧を出力する第３の電源部と、
前記第１の整流部の出力電圧と前記第２の電源部の出力電圧とが重畳された電圧が供給される第１の負荷に流れる電流を検知する第１の電流検知部と、
前記第２の整流部の出力電圧と前記第３の電源部の出力電圧とが重畳された電圧が供給される第２の負荷に流れる電流を検知する第２の電流検知部と、
前記第１の電流検知部を流れる電流と、前記第２の電流検知部を流れる電流を分離する分離部と、
を有することを特徴とする画像形成装置。
【請求項１３】
前記画像形成部は、画像を担持する像担持体と、前記像担持体上の画像を記録材に転写する転写部と、前記像担持体をクリーニングするクリーニング部と、を備え、
前記第１の電源部から出力された電圧が前記転写部と前記クリーニング部に供給されることを特徴とする請求項１２に記載の画像形成装置。
【請求項１４】
前記第２の電源部から出力された前記直流電圧は前記転写部に供給され、
前記第３の電源部から出力された前記直流電圧は前記クリーニング部に供給されることを特徴とする請求項１３に記載の画像形成装置。
【請求項１５】
更に、画像が形成される感光ドラムを有し、
前記像担持体は、前記感光ドラムに形成された画像が転写される中間転写ベルトであることを特徴とする請求項１３又は請求項１４に記載の画像形成装置。
【手続補正２】
【補正対象書類名】明細書
【補正対象項目名】０００８
【補正方法】変更
【補正の内容】
【０００８】
（１）交流電圧を出力する第１の電源部と、前記第１の電源部に接続され、前記第１の電源部から出力される前記交流電圧を整流し、所定の極性の直流電圧を出力する第１の整流部及び第２の整流部と、前記所定の極性とは逆極性の直流電圧を出力する第２の電源部及び第３の電源部と、前記第１の整流部の出力電圧と前記第２の電源部の出力電圧とが重畳された電圧が供給される第１の負荷に流れる電流を検知する第１の電流検知部と、前記第２の整流部の出力電圧と前記第３の電源部の出力電圧とが重畳された電圧が供給される第２の負荷に流れる電流を検知する第２の電流検知部と、前記第１の電流検知部を流れる電流と、前記第２の電流検知部を流れる電流とを分離する分離部と、を備えることを特徴とする電源装置。
【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
電線等の線条体を受けて支えるシューを複数個連結したシューチェンと、シューチェンを巻き付けて回転させるための円筒状のシューチェンドラムと、シューチェンドラムの表面に取り付けられて電線等の線条体の張力に抗するシューチェンドラムの回転力をシューに伝達するための直線棒状のキーとを有するシューチェン式の電線等の線条体を繰り出し、又は、巻き取るシューチェン式架線機械において、
前記シューと前記シューチェンドラムとの接触部、および前記シューと前記キーとの接触部の、全て又は一部に、自己潤滑性を有する滑り板を配置したことを特徴とするシューチェン式架線機械。
【請求項２】
前記滑り板は、前記シューチェンドラムの法線方向における、前記シューと前記シューチェンドラムとの前記接触部、及び前記シューと前記キーとの前記接触部に配置された請求項１に記載のシューチェン式架線機械。
【請求項３】
前記滑り板は、前記シューチェンドラムの法線方向における前記シューと前記キーとの前記接触部に配置された請求項１に記載のシューチェン式架線機械。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
原稿を読み取る読取手段と、
ユーザの入力を受け付ける受付手段と、
印刷用データに基づいて印刷する印刷手段と、
制御手段と、
を備え、
前記制御手段は、
原稿の一面に顔写真が含まれる画像データを有し、他面に顔写真を含まない画像データを有する原稿の両面をそれぞれ読み取って一枚のシートに印刷するIDコピーモードの指示を、前記受付手段を通じて受け付ける受付処理と、
前記読取手段に原稿の両面の読み取りを行わせる読取処理と、
前記受付処理にて前記IDコピーモードの指示を受け付けたと判断すると、前記読取処理にて読み取った、前記一面の画像データである第1画像データに基づいて、少なくとも濃度が異なる複数の画像データと、前記他面の画像データである第2画像データに基づいた１つの画像データとを含む印刷用データを作成する作成処理と、
前記作成処理によって作成された印刷用データに基づいて一枚のシートに印刷手段に印刷させる印刷処理と、
を実行する印刷装置。
【請求項２】
前記制御手段は、前記作成処理で、前記第1画像データと濃度が同じ画像データと、前記第1画像に基づいて、前記第1画像データと濃度の異なる画像データと、を作成する、
ことを特徴とする請求項１に記載の印刷装置。        
【請求項３】
前記制御手段は、前記作成処理で、前記第1画像データに基づいて、明度を上げた画像データと明度を下げた画像データとを作成する請求項２に記載の印刷装置。
【請求項４】
前記制御手段は、前記作成処理で、前記第1画像データに基づいた複数の画像を、第2画像データに基づいた画像に隣接して配置する、請求項１から３のいずれか一項に記載の印刷装置。
【請求項５】
前記制御手段は、前記受付処理にて前記IDコピーの指示を受け付けたと判断した場合、前記読取処理での読取結果に基づいて顔認識を行う顔認識処理を実行し、
前記作成処理では，前記顔認識処理にて顔認識に失敗した場合に，前記複数の画像を作成する請求項1から４のいずれか一項に記載の印刷装置。
【請求項６】
前記制御手段は、前記顔認識処理では、前記読取処理での読取結果の画像から階調を下げた画像に基づいて顔認識を行う請求項5に記載の印刷装置。
【請求項７】
前記制御手段は、前記第1画像データの濃度が閾値よりも大きい場合に、前記作成処理において、前記第1画像データに基づいて、濃度が異なる複数の画像データを作成する、請求項１から４のいずれか一項に記載の印刷装置。
【請求項８】
前記制御手段は、前記読取処理において、前記一面は、前記他面を読み取る場合よりも高い解像度で読み取る請求項１ないし７のいずれか一項に記載の印刷装置。
【請求項９】
前記制御手段は、前記作成処理において、前記第1画像データ全体の濃度が異なる複数の画像を作成する請求項１ないし８のいずれか以降に記載の印刷装置。
【手続補正２】
【補正対象書類名】明細書
【補正対象項目名】０００１
【補正方法】変更
【補正の内容】
【０００１】
本発明は，ＩＤカードを読み取って印刷する技術である。
【手続補正３】
【補正対象書類名】明細書
【補正対象項目名】０００６
【補正方法】変更
【補正の内容】
【０００６】
本発明は，前記した従来の技術が有する問題点を解決するためになされたものである。すなわちその課題とするところは，ＩＤカードを読み取って印刷する印刷装置であって，ユーザが好む濃度の画像の出力が期待できる技術を提供することにある。
【手続補正４】
【補正対象書類名】明細書
【補正対象項目名】０００７
【補正方法】変更
【補正の内容】
【０００７】
この課題の解決を目的としてなされた印刷装置は，原稿を読み取る読取手段と，前記読取手段による読み取りを行う読取指示を受け付ける受付手段と，前記読取手段によって読み取られた原稿の画像を出力する出力手段と，制御手段と，を備え，前記制御手段は，前記受付手段にて前記読取指示を受け付けたことに応じて，前記読取手段に原稿の読み取りを行わせる読取処理と，写真が含まれる原稿を読み取るモードが設定された状態で，前記読取処理にて原稿の読み取りを行った場合に，前記読取処理での読取結果の１つに基づいて，濃度が異なる複数の画像を作成する複数作成処理と，前記モードが設定されていない状態で，前記読取処理にて原稿の読み取りを行った場合に，前記読取処理での読取結果の１つに基づいて，１つの画像を作成する単一作成処理と，前記複数作成処理にて作成された前記複数の画像を，前記出力手段に出力させる出力処理と，を実行することを特徴としている。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
すなわち，本明細書に開示される読取装置では，写真がＩＤカードを読み取るモードで読み取った原稿の画像について，濃度が異なる複数の画像を作成して出力することで，ユーザはそれら複数の画像の中から好みの濃度の画像を選択できる。従って，読み取りを指示したユーザが好む濃度の画像が出力される可能性が高まる。 
【手続補正７】
【補正対象書類名】明細書
【補正対象項目名】００１０
【補正方法】削除
【補正の内容】
【手続補正書】
【提出日】令和3年11月12日(2021.11.12)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
特定条件が成立したときに前記有利状態に制御される確率に関する設定値の設定を許可するための設定許可状態に制御可能な設定許可状態制御手段と、
設定された設定値にもとづいて前記有利状態に関する制御を実行可能な遊技制御手段と、
演出制御手段と、
前記遊技制御手段により制御され、少なくとも可変表示を行うことが可能な可変表示部を有する情報表示手段と、
付与条件の成立にもとづいて遊技価値を付与可能な遊技価値付与手段と、
遊技に使用された遊技価値の数と前記遊技価値付与手段により付与された遊技価値の数との割合に関する特殊情報を表示可能な特殊情報表示手段と、
を備え、
前記遊技制御手段は、前記演出制御手段に設定開始コマンドと設定終了コマンドとを送信可能であり、
前記特殊情報表示手段は、異なる期間についての前記特殊情報を表示可能であるとともに、設定値を表示可能であり、
前記情報表示手段は、前記設定許可状態が開始してから該設定許可状態が終了するまでの期間において、遊技中に表示される表示と異なる表示であるとともに前記設定許可状態であることを認識可能な表示であって、該設定許可状態の期間中において表示態様が変化しない特殊表示を前記可変表示部に表示可能である、
ことを特徴とする遊技機。
【手続補正２】
【補正対象書類名】明細書
【補正対象項目名】０００６
【補正方法】変更
【補正の内容】
【０００６】
（Ａ）可変表示を行い、遊技者にとって有利な有利状態に制御可能な遊技機であって、
特定条件が成立したときに前記有利状態に制御される確率に関する設定値の設定を許可するための設定許可状態に制御可能な設定許可状態制御手段と、
設定された設定値にもとづいて前記有利状態に関する制御を実行可能な遊技制御手段と、
演出制御手段と、
前記遊技制御手段により制御され、少なくとも可変表示を行うことが可能な可変表示部を有する情報表示手段と、
付与条件の成立にもとづいて遊技価値を付与可能な遊技価値付与手段と、
遊技に使用された遊技価値の数と前記遊技価値付与手段により付与された遊技価値の数との割合に関する特殊情報を表示可能な特殊情報表示手段と、
を備え、
前記遊技制御手段は、前記演出制御手段に設定開始コマンドと設定終了コマンドとを送信可能であり、
前記特殊情報表示手段は、異なる期間についての前記特殊情報を表示可能であるとともに、設定値を表示可能であり、
前記情報表示手段は、前記設定許可状態が開始してから該設定許可状態が終了するまでの期間において、遊技中に表示される表示と異なる表示であるとともに前記設定許可状態であることを認識可能な表示であって、該設定許可状態の期間中において表示態様が変化しない特殊表示を前記可変表示部に表示可能である、
ことを特徴とする遊技機。
可変表示を行い、遊技者にとって有利な有利状態（例えば、大当り遊技状態）に制御可能な遊技機（例えば、パチンコ遊技機１）であって、
特定条件が成立したとき（例えば、図９−２０に示すように、パチンコ遊技機１の起動時にクリアスイッチ、錠スイッチ２０７ＳＧ０５１、開放センサ２０７ＳＧ０９０がそれぞれＯＮであるとき）に前記有利状態に制御される確率に関する設定値の設定を許可するための設定許可状態（例えば、ＣＰＵ１０３が図９−２２に示す設定値変更処理を実行中である状態）に制御可能な設定許可状態制御手段（例えば、ＣＰＵ１０３が２０７ＳＧＳａ０１３ａの設定変更処理を実行する部分）と、
設定された設定値にもとづいて前記有利状態に関する制御を実行可能な遊技制御手段（例えば、ＣＰＵ１０３が図５に示す特別図柄プロセス処理を実行する部分）と、
前記遊技制御手段により制御され、少なくとも可変表示を行うことが可能な可変表示部（例えば、第１特別図柄表示装置２０７ＳＧ００４Ａと第２特別図柄表示装置２０７ＳＧ００４Ｂ）を有する情報表示手段（例えば、遊技情報表示手段２０７ＳＧ２００）と、
付与条件の成立にもとづいて遊技価値を付与可能な遊技価値付与手段（例えば、遊技球が第１始動入賞口、第２始動入賞口、一般入賞口１０、大入賞口等に入賞することによって賞球が払い出される部分）と、
遊技に使用された遊技価値の数と前記遊技価値付与手段により付与された遊技価値の数との割合に関する特殊情報（例えば、ベース値）を表示可能な特殊情報表示手段（例えば、表示モニタ２０７ＳＧ０２９）と、
を備え、
前記特殊情報表示手段は、異なる期間についての前記特殊情報を表示可能であるとともに、設定値を表示可能であり（例えば、図９−１９に示すように、表示モニタ２０７ＳＧ０２９において、ベースＬ→ベース１→ベース２→ベース３の順番でベース値の表示が５秒間隔で切り替わる部分と、図９−２５（Ｃ）に示すように、パチンコ遊技機１の再起動によってＣＰＵ１０３が設定値変更処理を開始すると、第４表示部２０７ＳＧ０２９Ｄにおいてパチンコ遊技機１に設定されている設定値の表示が開始される部分）、
前記情報表示手段は、前記設定許可状態が開始してから該設定許可状態が終了するまでの期間において、遊技中に表示される表示とは異なる表示であるとともに前記設定許可状態であることを認識可能な表示であって、該設定許可状態の期間中において表示態様が変化しない特殊表示を前記可変表示部に表示可能である（例えば、図９−２７（Ａ）に示すように、ＣＰＵ１０３が設定値変更処理の実行中である場合は第１特別図柄表示装置２０７ＳＧ００４Ａと第２特別図柄表示装置２０７ＳＧ００４Ｂとを構成する全セグメントを点灯させる部分）、
ことを特徴としている。
この特徴によれば、遊技機において重要な表示となる可変表示が実行される情報表示手段において設定許可状態であることが報知されるので、好適な報知を行うことができる。また、設定許可状態であるときには、特殊情報を表示するための特殊情報表示手段にて設定値が表示されることにより、設定値を表示するための表示手段を個別に設ける必要が無いので、遊技機のコストを低減できる。